(57)【要約】【課題】加温具を用いた精子採取器のコア部材の加温時にコア部材内部のローションが漏れ出すことを確実に防止し、しかも洗浄できない加温具の主要部がローションにより汚損されることを防止する。【解決手段】ベース台座５１の一面に突設された凸状加温部材５６、及びベース台座面に設けられた凹状の精子採取器支持面５７を有した加温具本体５５と、凸状加温部材を発熱させる電熱ユニット６０と、凸状加温部材を一端開口から内部に嵌合して熱伝導を受ける棒状凸部７１、及び棒状凸部の一端開口側から鍔状に延びて精子採取器支持面を覆う凹状のフランジ部７３を有した中カバー７０と、内部に凸状加温部材を嵌合させた棒状凸部を、コア部材の挿入口から挿入空所内に挿入することにより該コア部材の一端面をフランジ部の凹状部に嵌合させた状態で精子採取器を覆う外カバー８０と、を備えた。【選択図】図７
2010142577.tif 000002
【特許請求の範囲】
【請求項１】
軸方向一端面に挿入口を備えた中空のコア部材を少なくとも備えた精子採取器の挿入口内部を加温する加温具であって、
ベース台座、該ベース台座の一面に突設された凸状加温部材、及び該ベース台座面に設けられた精子採取器支持面を有した加温具本体と、
前記加温具本体に配置されて前記凸状加温部材を発熱させる電熱ユニットと、
前記凸状加温部材を一端開口から内部に嵌合して熱伝導を受ける棒状凸部、及び該棒状凸部の一端開口側から鍔状に延びて前記精子採取器支持面を覆う凹状のフランジ部を有した中カバーと、を備えたことを特徴とする精子採取器の加温具。
【請求項２】
ベース台座、該ベース台座の一面に突設された凸状加温部材、及び該ベース台座面に設けられた精子採取器支持面を有した加温具本体と、前記加温具本体に配置されて前記凸状加温部材を発熱させる電熱ユニットと、前記凸状加温部材を一端開口から内部に嵌合して熱伝導を受ける棒状凸部、及び該棒状凸部の一端開口側から鍔状に延びて前記精子採取器支持面を覆う凹状のフランジ部を有した中カバーと、を備えた加温具を用いて、軸方向一端面に挿入口を備えた中空のゲル状樹脂製のコア部材を備えた前記精子採取器の挿入口内部を加温する方法であって、
前記挿入口を上向きに支持した前記コア部材の挿入口から前記中カバーの棒状凸部を挿入して前記フランジ部の凹状部を該コア部材挿入口周縁に圧接させる中カバー連結工程と、
前記中カバーと連結された前記精子採取器の上下を反転させて前記ベース台座の凸状加温部材に、前記中カバーの一端開口を挿入して前記フランジ部を前記精子採取器支持面に着座させる着座工程と、
前記電熱ユニットに電力を供給して前記凸状加温部材を発熱させる発熱工程と、を備えたことを特徴とする精子採取器の加温方法。
【発明の詳細な説明】
【技術分野】
【０００１】
本発明は、医学的な研究、治療のための要請や、性犯罪防止、買春防止、及び性感染症の蔓延防止等の社会的な要請に基づいて従来から使用されてきた精子採取器の加温具に関し、特に冬季、寒冷地のように外気温度が体温を大幅に下回る環境下において、精子採取器の内部温度を体温に近い温度に高めて使用感を高めることができる加温具、及び加温方法に関するものである。
【背景技術】
【０００２】
医学的な研究や治療上の必要から、男性の精子を採取するための精子採取器が種々提案されている。例えば、夫婦間の不妊の原因を究明するために採取した精子から夫の性機能を検査したり、性機能障害を治療したり、人工授精のために精子を確保する等の医学的な必要性のために精子採取器が使用される。更に、個人的な性的欲求を解消させることによる性犯罪の予防、買春防止、性感染症感染者数の減少等の種々の社会的なニーズを満たすためにも、従来から低廉に入手することができ、しかも使い捨てタイプであるために衛生上、健康上の問題も惹起しない簡易な精子採取器が知られている。
また、最近では健常者のみならず、各種養・介護施設における高齢者や障害者の性的欲求処理の必要性が着目されており、このような要請を満たすことができる簡易な精子採取器の開発が求められている。
例えば、実用新案登録第３０７６６２７号には、円筒状の容器本体内に、内部に深い凹部空間を有するゲル状の合成樹脂製（スチレン系熱可塑性エラストマー）の内装材を設け、当該内装材の内面には凹部空間へ突出した複数の小突起、及び、襞状部を設けると共に、上記内装材の周囲を覆うようにウレタン樹脂からなる外装材を設けた精子採取器が提案されている。この精子採取器は、所要の硬度、肉厚を有したプラスチック製の円筒体から成る容器本体内に収納されたゲル状合成樹脂の内装材の凹部空間内にペニスを挿入した状態で容器本体を把持してペニス摺擦のための往復操作を行うように構成されている。
また、本出願人は、ＷＯ２００６／１３２１２５、特開２００６−３３４１７６公報、特開２００６−３４０８７０公報、特開２００６−３４０８７１公報において、容器本体内にゲル状樹脂製のコア部材を収容した精子採取器を提案した。
【０００３】
しかし、ゲル状樹脂製のコア部材は外気温度と同等の内部温度を有しているため、外気温度が低い場合、特に、コア部材の内部温度が使用者の体温に対して例えば１５〜２０℃以上低い場合には、ペニス挿入時に体温を奪われることによる違和感、不快感が強くなり、使用感が悪化したり、ペニスが萎縮するという不具合が発生する。
このような不具合を解決するためには、ヒーターを用いて精子採取器、特にコア部材を外側から加温して体温に近づければよいが、これまで最適な専用ヒータは開発されていない。使用前に湯に浸漬して加温したり、赤外線ヒーターや電子レンジで加温することも行われているが、過熱して高温状態となったり、或いは使用時には熱が低下してしまうという保温上の問題があった。
このように精子採取器は熱伝導性の低い樹脂製の容器本体内にコア部材を固定した構成を有しているため、容器本体外部からの加温によってコア部材内部を適正温度に加温することは容易でなかった。また、このような加温方法では、加温に長時間を要したり、過熱状態となることによる安全性上の問題も惹起しかねない状況にある。
【特許文献１】実用新案登録第３０７６６２７号
【特許文献２】ＷＯ２００６／１３２１２５
【特許文献３】特開２００６−３３４１７６公報
【特許文献４】特開２００６−３４０８７０公報
【特許文献５】特開２００６−３４０８７１公報
【発明の開示】
【発明が解決しようとする課題】
【０００４】
以上のようにゲル状樹脂から成るコア部材をプラスチック容器内に収容してキャップにより封止したタイプの精子採取器にあっては、外気温度の低下に伴ってコア部材内部温度が低下して使用者の体温との間に大幅な温度差がもたらされるため、ペニス挿入時に体温を奪われることによる違和感が強くなり、使用感が悪化したり、ペニスが萎縮するという不具合があった。外部から加温することも可能ではあるが、過熱、保温不良等の問題があった。
本発明は上記に鑑みてなされたものであり、プラスチック容器内にゲル状樹脂製コア部材を収容してキャップにより封止したタイプの精子採取器において、コア部材を内部から集中的に、且つ適正温度に加温することにより、短時間で、しかも安全に体温に近い温度に昇温させて使用感を常に良好に維持することができる精子採取器の加温具、及び加温方法を提供することを目的としている。
また、加温具を用いたコア部材の加温時にコア部材内部のローションが漏れ出すことを確実に防止し、しかも洗浄できない加温具の主要部がローションにより汚損されることを防止することを他の目的としている。
【課題を解決するための手段】
【０００５】
上記目的を達成するため、請求項１の発明に係る精子採取器の加温具は、軸方向一端面に挿入口を備えた中空のコア部材を少なくとも備えた精子採取器の挿入口内部を加温する加温具であって、ベース台座、該ベース台座の一面に突設された凸状加温部材、及び該ベース台座面に設けられた精子採取器支持面を有した加温具本体と、前記加温具本体に配置されて前記凸状加温部材を発熱させる電熱ユニットと、前記凸状加温部材を一端開口から内部に嵌合して熱伝導を受ける棒状凸部、及び該棒状凸部の一端開口側から鍔状に延びて前記精子採取器支持面を覆う凹状のフランジ部を有した中カバーと、を備えたことを特徴とする。
請求項２の発明に係る精子採取器の加温方法は、ベース台座、該ベース台座の一面に突設された凸状加温部材、及び該ベース台座面に設けられた精子採取器支持面を有した加温具本体と、前記加温具本体に配置されて前記凸状加温部材を発熱させる電熱ユニットと、前記凸状加温部材を一端開口から内部に嵌合して熱伝導を受ける棒状凸部、及び該棒状凸部の一端開口側から鍔状に延びて前記精子採取器支持面を覆う凹状のフランジ部を有した中カバーと、を備えた加温具を用いて、軸方向一端面に挿入口を備えた中空のゲル状樹脂製のコア部材を備えた前記精子採取器の挿入口内部を加温する方法であって、前記挿入口を上向きに支持した前記コア部材の挿入口から前記中カバーの棒状凸部を挿入して前記フランジ部の凹状部を該コア部材挿入口周縁に圧接させる中カバー連結工程と、前記中カバーと連結された前記精子採取器の上下を反転させて前記ベース台座の凸状加温部材に、前記中カバーの一端開口を挿入して前記フランジ部を前記精子採取器支持面に着座させる着座工程と、前記電熱ユニットに電力を供給して前記凸状加温部材を発熱させる発熱工程と、を備えたことを特徴とする。
【発明の効果】
【０００６】
本発明によれば、安全、且つ効果的に精子採取器を構成するコア部材内部を加温して使用感を高めることができる。従来のように湯やヒーターを用いて精子採取器の外側から加温する場合には、内部のコア部材を適正温度にまで昇温させることが容易ではない。即ち、高温、短時間でコア部材を適正温度に昇温させようとすれば、精子採取器の外側容器全体が高温になるため、火傷の原因となる。また、比較的低温でコア部材を適正温度に昇温させようとすれば長時間を要するという問題が生じる。本発明の加温具は、コア部材内部に挿入される加熱手段によりコア内部の最適温度への昇温を短時間で行い、更にサーモスタットにより最適温度の保温、温度過昇防止を行っているので、精子採取器の外側が過熱状態になることもなく、安全性に優れる。
また、洗浄できない加温部材に中カバーを被せているので、精子採取器内のローションが加温部材に付着することもなく、清潔な状態を維持することができる。加温部材を洗浄することによる故障も防止できる。
また、中カバーによってコア部材の挿入口を閉止してから、加温部材にセットすることになるので、ローション漏れを確実に防止できる。
【０００７】
本発明に係る加温具による加温対象となる精子採取器は、確かに医学的な目的以外にも、個人的な性欲を解消するための手段として使用されることはあるが、この様な用途に供されることのある精子採取器だからといって公序良俗を乱す商品であると断定するのは、早計であり、偏見である。この種の商品が性犯罪防止、性感染症の拡散防止等に如何に役立つか、という広い視野に立って特許権を付与する価値があるか否かをご判断頂きたい。
因みに以下の３つの事例は事実に基づいており、これらの社会的要請を満たす手段として精子採取器が役立つことは疑いのない事実である。なお、当然のことながら、本発明に係る精子採取器自体は未公開、未公知の状態にある。
まず、本出願人からの要請により、タイ赤十字エイズ研究センター(The Thai Red Cross AIDS Research Center: http://www.redcross.or.th/english/aboutus/aids.php4) 
及びＰＤＡ（Population and Community Development Association http://www.pda.or.th/eng/）が、本出願人の開発に係る各種精子採取器を使用した男性の性行動調査を行うべく準備中である。本調査内容は、精子採取器を使用することで、男性（ＨＩＶ感染者、非感染者、ゲイ、バイセクシュアル、ノーマル含む）の性欲の高まりを鎮めたり、性的リスク行動を抑制したりする効果が認められるか否かを調査するものである。現在同センターで調査の準備を進めている。
【０００８】
また、本出願人は、自ら開発した精子採取器を、神奈川県相模原市にある特別養護老人ホームに無償提供しており、高齢者の性的欲求の解消のための試行を行っている。即ち、高齢者のＱＯＬ（クオリティオブライフ）にとって「性」の部分の重要性は昨今指摘されている通りであり、こういった施設で起こるトラブルの８割方が男女問題、言うなれば色恋事と密接に絡んでいると言われる。本出願人が過去に製造、販売してきた精子採取器は、高齢男性が「性」を楽しむ補助となっており「生きがい」や「生きる喜び・愉しみ」を提供することを通じ、ＱＯＬの向上に貢献していることが明かとなっている。
また、我が国ではこれまで障害者の「性」に関してはなぜか長らく語られてこなかった。人間の根源的な欲求の一つであるはずの「性欲」を、障害者には無いものとし、蓋をし続けてきた。本出願人は、「誰もが性を楽しめる社会づくり」という理念実現の一環として、障害者の性に対してもアプローチを続けている。障害児を持つ親への商品提供、中等養護学校教諭から、自閉症児へのマスターベーション指導に関する相談への対応等を行っている。また、現在、北海道にある知的障害者施設でのマスターベーション介助のために、本出願人が開発した各種の精子採取器、及び加温具の使用を進めている最中である。
【発明を実施するための最良の形態】
【０００９】
以下、本発明を図面に示した実施形態により詳細に説明する。
図１（ａ）及び（ｂ）は本発明の一実施形態に係る精子採取器の外観斜視図、図２（ａ）及び（ｂ）は当該精子採取器の正面図、及び底面図、図３は精子採取器の分解斜視図、図５は精子採取器の構成を示す縦断面図である。
本発明に係る加温具による加温対象物としての精子採取器１は、適度な肉厚と硬度を有した樹脂材料から構成され長手方向一端面が開口した筒状の容器本体３、及び容器本体３の開口部４に脱着してこれを開閉するキャップ５から成る容器２と、容器本体３内に収容され、長手方向一端面の挿入口１１から内部に延びる挿入空所１２を有したゲル状樹脂製のコア部材１０と、コア部材１０と容器本体内壁との間に介在するスポンジ層２０と、を備えている。コア部材１０は挿入口１１を形成した一端面が開口部４側に位置するように組み付けられる。
容器本体の他端部３ａには必要に応じて抜気用の小孔３ｂを形成しておき、未使用時には図示しないシールにより封止しておく。
【００１０】
コア部材１０は、エラストマーのような粘性を有したゲル状の樹脂、或いはゲル状のゴム等から構成された袋状体であり、その挿入側端面には大径、厚肉のフランジ部１３を備えると共に、小径の挿入口１１の内部には挿入口よりも大径の挿入空所１２が連通して形成されている。挿入空所１２内には任意の配置にて突起、襞等が形成されている。
コア部材１０の長手方向一端部には、その端面に挿入口１１を有した中空のフランジ部１３を有し、挿入口１１の内部には挿入空所１２が設けられている。
挿入口１１の外周、即ちフランジ部１３の外側面は曲面状に膨出しており、後述する加温具の凹状の支持面と密着できるように構成されている。
挿入空所１２内には、予め、或いは使用直前に図示しないローション容器内に収容されたローションを充填して使用時における人体側と挿入空所内壁との潤滑性を高めておく。
この精子採取器の使用に関しては、コア部材の挿入口１１からペニスを挿入する。この状態で、容器本体を使用者が手に把持して、コア部材内壁とペニスとの摺擦動作を繰り返すことにより、射精を促進する。
【００１１】
次に、図５（ａ）（ｂ）（ｃ）及び（ｄ）は本発明の一実施形態に係る加温具の外観構成を示す正面図、側面図、縦断面図、及び底面図であり、図６は加温具の分解斜視図であり、図７はベース台座、及び電熱ユニットの分解斜視図であり、図８は中カバーと外カバーの正面図であり、図９は電熱ユニットの回路図であり、図１０、及び図１１は加温具の操作手順を示す説明図であり、図１２は加温具の断面図である。
本発明の特徴をなす加温具５０は、この精子採取器の使用に先立ってコア部材内部を加温するために、発熱させた加温具の一部（凸状加温部材）を中カバーを装着した状態で挿入口１１からコア部材内部に挿入することにより、挿入空所１２内部を体温に近い温度にまで昇温させ、保温する手段である。
加温具５０は、軸方向一端面に挿入口１１を備えた中空のゲル状樹脂製のコア部材１０を備えた精子採取器の挿入空所１２を加温する手段であって、ベース台座５１、ベース台座５１の上面（一面）に突設された略棒状の凸状加温部材（加温部材）５６、及び凸状加温部材５６を中心部に有したベース台座上面に設けられた凹状の精子採取器支持面５７を有した加温具本体５５と、加温具本体５５内外に配置された電熱ユニット６０と、凸状加温部材５６を一端開口７２から内部に嵌合して熱伝導を受ける棒状凸部７１、及び棒状凸部の一端開口７２側端部から鍔状に延びて精子採取器支持面５７を覆う凹状のフランジ部７３を有した中カバー（カートリッジ）７０と、中カバー外面を覆って汚れを防ぐための外カバー８０と、を備えている。
なお、外カバー８０は、内部に凸状加温部材５６を嵌合させた棒状凸部７１を、コア部材の挿入口１１から挿入空所１２内に挿入することによりコア部材の一端面をフランジ部の凹状部７４に嵌合させた状態で精子採取器を覆う保温手段としてもよい。
ポリプロピレン等の樹脂材料から成るベース台座５１と凸状加温部材５６は一体成形され、ベース台座５１の底面の開口は蓋板５２とビス５３によって閉止される。
【００１２】
図７、及び図９の回路図に示すように、電熱ユニット６０は、通電されることにより発熱するヒーター線６１，ヒーター線等を支持する内部部材６１Ａ、スイッチ部品６２ａ及びＬＥＤ６２ｂを搭載したプリント基板６２、ベース台座５１の側面に設けた開口５１ａ内に外面を露出すると共にスイッチ部品６２ａと対応した位置にあることによって使用者により押圧された際にスイッチ部品をオンさせるスイッチカバー（スイッチ）６３、ヒーター線押え６４、アルミ板６５、ＰＣシート６６、サーモスタット６７、電源コード６８、サーモスタット短絡時にヒーター線への通電を遮断させる温度ヒューズ６９などを備えている。
内部部材６１Ａは、凸状加温部材５６の下部開口から内部に差し込まれる凸部を有し、この凸部６１ａの外面にはその軸方向に沿って４本の長溝６１ｂが形成されており、各長溝６１ｂ内に夫々折り返された一本のヒーター線６１の各部位が嵌合して図示しないテープなどにより凸部６１ａの外面に固定されている。ヒーター線６１の端部は電源コード６８に接続され、スイッチ部品６２ａがオンされたときに通電して発熱する。
後述するようにヒーター線６１からサーモスタット６７への熱伝導を低下させるために、アルミ板６５、ＰＣシート６６等を介在させてヒーター線の発熱温度制御を行っている。これにより、サーモスタットの感度が低下し、所定の最適温度（３６℃以上、好ましくは４０℃以上）に達するのに要する時間を短縮することができる。理想としては、４０℃までに５分で達するように設定する。
【００１３】
中カバー（カートリッジ）７０は、棒状凸部７１の内壁によって凸状加温部材５６の外面に密着して嵌合するように構成されており、棒状凸部７１はヒーター線６１からの熱を受けて発熱する。フランジ部７３は上面に環状の凹状部７４を有すると共に、円筒状の外周壁の下端縁によってベース台座５１の外周縁に沿って設けた着座用段差部５１ｂに係合して安定して着座できるように構成されている。中カバー７０は、精子採取器内に棒状凸部７１を挿入した際に付着するローションが凸状加温部材５６に付着することを防止するための手段でもある。電気部品を収容したベース台座５１は水洗い等ができないため、ローションの付着を極力避ける必要がある一方で、中カバー７０はベース台座から分離した状態での洗浄が容易である。
外カバー８０は、下方が開口した円筒状部材であり、その下端開口外周縁を中カバー７０の外周縁に設けた着座部７５に着座して中カバー７０とその上方の空間を封止するように構成されている。外カバー８０は、主として中カバー７０の汚れを防止したり、加温具全体の箱詰め等する際の収納に適した外形とするためである。ただ、フランジ部７３上に精子採取器１をセットした状態で外カバー８０を被せることによりヒーター線６１により加温された棒状凸部７１によるコア部材の加温と保温を効率化することができる。外カバー８０の天井面には円筒状の押え部材８１が突設されており、中カバー７０の棒状凸部７１の上部外面に圧接して係止されるように構成されている。
【００１４】
次に、図１０、図１１、及び図１２に基づいて本発明の加温具の使用手順について説明する。
まず、図１０（ａ）に示すようにコンセントに電源コード６８に設けたプラグを差し込み、且つ中カバー７０をベース台座５１から取り外してから、（ｂ）に示すように中カバー７０の棒状凸部７１を精子採取器１のコア部材の挿入口１１内に挿入する。
次いで、図１０（ｃ）に示すように精子採取器１に装着した状態の中カバー７０の底面側の開口をベース台座の凸状加温部材５６に差し込み、更に図１０（ｄ）、図１２のようにコア部材の先端面をフランジ部７３の凹状部７４と密着させた状態とする。このようにコア部材の先端面をフランジ部７３の凹状部７４と密着させた状態とすることにより、挿入口１１からのローションの漏出しを防止しつつ加温することができる。加温を開始するためにはスイッチ６３をオンすればよい。
フランジ部７３の凹状部７４はＲ形状（断面湾曲形状）とすることにより、弾性材料から成るコア部材の先端面（挿入口１１の外周であってＲ形状に突出している）を吸盤状に密着嵌合させてローションの漏れを防止することが可能となる。
【００１５】
加温開始後、所定時間が経過した場合には、図１１（ｅ）のように精子採取器１を中カバー７０から取外し、更に（ｄ）のように精子採取器の挿入口１１を上向きにしつつカバー７０を抜き取る。これによりローションの漏出しを防止できる。つまり、予め上向きにセットされたベース台座の凸状加温部材５６に対して中カバー７０を差し込んだ状態としておき、この中カバーの棒状凸部７１に対して挿入口１１を下向きにした精子採取器１を装着しようとすれば、挿入口から内部のローションが漏出するが、本発明の加温具においては中カバーにより挿入口１１を閉止してから精子採取器を下向きにしてベース台座にセットするので、ローションが漏れる余地が無くなる。
更に、挿入口１１に指を差し込んで内部温度を確認した上で、適温であることを確認した後で使用可能な状態となる。
このように本発明の加温具を用いた精子採取器の加温方法は、軸方向一端面に挿入口１１を備えた中空のゲル状樹脂製のコア部材１０を備えた精子採取器の挿入口内部を加温する際に、挿入口を上向きに支持したコア部材の挿入口から中カバーの棒状凸部を挿入してフランジ部の凹状部を該コア部材挿入口周縁に圧接させる中カバー連結工程と、中カバーと連結された精子採取器の上下を反転させてベース台座の凸状加温部材に、中カバーの一端開口を挿入してフランジ部を精子採取器支持面に着座させる着座工程と、電熱ユニットに電力を供給して凸状加温部材を発熱させる発熱工程と、を備えている。
このため、ローションの漏出を確実に防止できる。また、コア部材の挿入部近傍に位置するローションを加温することができ、使用感を更に高めることができる。
【００１６】
次に、図１３（ａ）及び（ｂ）は所定の温度環境下における電熱ユニットの温度上昇、保温性能を試験した結果を示しており、（ａ）は３時間の経過時間内での温度上昇、（ｂ）は３０分間での温度上昇を示している。
前述のように本発明の電熱ユニット６０では、通電により発熱したヒーター線６１からサーモスタット６７（オフする温度は、５５℃程度）への熱伝導を低下させるために、アルミ板６５、ポリカーボネートシート６６等を介在させている。つまり、ヒーター線からサーモスタットへの熱伝達経路に熱伝導を阻害する部材６５、６６を配置することにより、サーモスタットの見かけ上の感度を低下させた上で、サーモスタットによる通電のオンオフを行い、ヒーター線の発熱温度制御を行っている（図１３（ａ）（ｂ））。サーモスタットの見かけ上の感度低下により、ヒーター線（凸状加温部材５６）の温度が所定の最適温度（例えば、３７〜４２℃）に達するのに要する時間を短縮することができる。理想としては、最適温度は、４０℃までに５分で達するように設定する。
仮に、アルミ板６５、ＰＣシート６６を介在させない場合には、最適温度に昇温するまでにサーモスタットがオンオフを頻繁に繰り返すこととなり、最適温度に達するまでに２０分以上の長時間を要することとなる。
このように最適温度に短時間で達する一方で、最適温度を維持することができる。
本出願人による実験によれば、ペニスの温度に対する感度は、他の身体部位の感度に比して鈍いため、４０℃以上にコア部材を加温、保温しても、実使用に際して支障はない。
【００１７】
以上のように本発明によれば、安全、且つ効果的に精子採取器を構成するコア部材内部を加温して使用感を高めることができる。従来のように湯やヒーターを用いて精子採取器の外側から加温する場合には、内部のコア部材を適正温度にまで昇温させることが容易ではない。即ち、高温、短時間でコア部材を適正温度に昇温させようとすれば、精子採取器の外側容器全体が高温になるため、火傷の原因となる。また、比較的低温でコア部材を適正温度に昇温させようとすれば長時間を要するという問題が生じる。本発明の加温具は、コア部材内部に挿入される加熱手段によりコア内部の最適温度への昇温を短時間で行い、更にサーモスタットにより最適温度の保温、温度過昇防止を行っているので、精子採取器の外側が過熱状態になることもなく、安全性に優れる。
また、洗浄できない加温部材に中カバーを被せているので、精子採取器内のローションが加温部材に付着することもなく、清潔な状態を維持することができる。加温部材を洗浄することによる故障も防止できる。
また、中カバーによってコア部材の挿入口を閉止してから、加温部材にセットすることになるので、ローション漏れを確実に防止できる。
【図面の簡単な説明】
【００１８】
【図１】（ａ）及び（ｂ）は本発明の一実施形態に係る精子採取器の外観斜視図である。
【図２】（ａ）及び（ｂ）は精子採取器の正面図、及び底面図である。
【図３】精子採取器の分解斜視図である。
【図４】精子採取器の構成を示す縦断面図である。
【図５】（ａ）乃至（ｄ）は本発明の一実施形態に係る加温具の外観構成を示す正面図、側面図、縦断面図、及び底面図である。
【図６】加温具の分解斜視図である。
【図７】加温具の詳細な分解斜視図である。
【図８】中カバー及び底カバーの構成を示す正面図である。
【図９】電熱ユニットの回路構成説明図である。
【図１０】（ａ）乃至（ｄ）は加温具の使用手順の説明図である。
【図１１】（ｅ）（ｆ）は加温具の使用手順の説明図である。
【図１２】（ａ）及び（ｂ）は精子採取器の断面図、及び加温時の断面図である。
【図１３】（ａ）及び（ｂ）は所定の温度環境下における電熱ユニットの温度上昇、保温性能を試験した結果を示した図であり、（ａ）は３時間の経過時間内での温度上昇、（ｂ）は３０分間での温度上昇を示している。
【符号の説明】
【００１９】
１…精子採取器、２…容器、３…容器本体、３ａ…他端部、３ｂ…小孔、４…開口部、
５…キャップ、１０…コア部材、１１…挿入口、１２…挿入空所、１３…フランジ部、２０…スポンジ層、５０…加温具、５１…ベース台座、５１ａ…開口、５１ｂ…着座用段差部５２…蓋板、５３…ビス、５５…加温具本体、５６…凸状加温部材、５７…精子採取器支持面、６０…電熱ユニット、６１…ヒーター線、６１Ａ…内部部材、６１ａ…凸部、６１ｂ…長溝、６２…プリント基板、６２ａ…スイッチ部品、６２ｂ…ＬＥＤ、６３…スイッチ、６５…アルミ板、６６…ＰＣシート、６７…サーモスタット、６８…電源コード、６９…温度ヒューズ、７０…中カバー（カートリッジ）、７１…棒状凸部、７２…一端開口、７３…フランジ部、７４…凹状部、７５…着座部、８０…外カバー
【図１】
2010142577.tif 000003
【図２】
2010142577.tif 000004
【図３】
2010142577.tif 000005
【図４】
2010142577.tif 000006
【図５】
2010142577.tif 000007
【図６】
2010142577.tif 000008
【図７】
2010142577.tif 000009
【図８】
2010142577.tif 000010
【図９】
2010142577.tif 000011
【図１０】
2010142577.tif 000012
【図１１】
2010142577.tif 000013
【図１２】
2010142577.tif 000014
【図１３】
2010142577.tif 000015